(57)【特許請求の範囲】
【請求項１】
作動流体を圧縮する圧縮機構部と、
前記圧縮機構部を駆動する電動機と、
一方に前記圧縮機構部を連結し、他方に前記電動機を連結する駆動軸と、
前記圧縮機構部、前記駆動軸、及び、前記電動機を水平方向に配置して収納する密閉容器と、
前記密閉容器に溜まる油の油面レベルを確認するための油面計と、を備え、
前記油面計の表示面と前記密閉容器の中心軸とのなす角θが０°＜θ＜９０°であり、且つ前記油面計はその表示面が前記圧縮機構部側に向くように配置されている横形圧縮機。
【請求項２】
請求項１の横形圧縮機を搭載した冷凍空調装置であって、
前記横形圧縮機の前記密閉容器の中心軸と前記冷凍空調装置の前面とのなす角θ２が０°＜θ２≦９０°である冷凍空調装置。
【請求項３】
作動流体を圧縮する圧縮機構部と、
前記圧縮機構部を駆動する電動機と、
一方に前記圧縮機構部を連結し、他方に前記電動機を連結する駆動軸と、
前記圧縮機構部、前記駆動軸、及び、前記電動機を水平方向に配置して収納する密閉容器と、
前記密閉容器に溜まる油の油面レベルを確認するための油面計と、を備え、
前記油面計の表示面と前記密閉容器の中心軸とのなす角θが０°＜θ＜９０°であり、且つ前記油面計はその表示面が前記圧縮機構部側に向くように配置されている横形圧縮機を搭載した冷凍空調装置の設置方法であって、
前記横形圧縮機の前記密閉容器の中心軸と前記冷凍空調装置の前面とのなす角θ２が０°＜θ２≦９０°となるように前記横形圧縮機を設置する冷凍空調装置の設置方法。
【発明の詳細な説明】
【技術分野】
【０００１】
油面計を有する圧縮機及び冷凍空調装置に関する。
【背景技術】
【０００２】
圧縮機及び冷凍空調装置の信頼性を確保するため、冷凍空調装置に搭載される圧縮機に油面計が設置される。冷凍空調装置の設置の際には、この油面計により圧縮機内の油面を確認しながら冷凍サイクルの配管長に応じて封入油量を調節する。図１に油面計を備えた圧縮機の模式図を示す。図１のように、密閉容器１の中には、圧縮機構部２及び電動機３が中心軸を貫通する駆動軸４に連結した状態で収納される。密閉容器１内には、圧縮機構部２の摺動部の潤滑及び冷却に使用される潤滑油による油面５が形成される。圧縮機に油面計６を設置する際には、圧縮機内の油量保持が確認できる位置及び冷凍空調装置搭載の際に視認しやすい位置に油面計６を設置する必要がある。
【０００３】
従来の冷凍空調装置用圧縮機は、例えば文献１のような横形スクロール圧縮機においては、油面計の表示面は圧縮機の中心軸と平行に設置される。油面計の表示面を圧縮機の中心軸と平行に設置すると、圧縮機の中心軸が冷凍空調装置の前面と平行になるよう圧縮機を設置した際に、圧縮機の油面を視認しやすい。
【０００４】
一方、特許文献２のように、冷凍空調装置の省スペース化のため、横形圧縮機を圧縮機の中心軸が冷凍空調装置の前面に対して角度を有するように設置する場合がある。
【０００５】
しかしながら、冷凍空調装置に搭載される油面計を設置した横形圧縮機において油面計の表示面を圧縮機の中心軸と平行に設置すると、特許文献２に記載のように冷凍空調装置の前面に対し角度をつけて圧縮機を設置した場合は、油面計表示面の視認性が悪化し、冷凍空調装置の前面に対する角度が大きくなるほど視認しづらくなる。
【先行技術文献】
【特許文献】
【０００６】
【特許文献１】特開２００５−２６４８２５号公報
【特許文献２】特願平８−２６１５７０号
【発明の概要】
【発明が解決しようとする課題】
【０００７】
本発明は、圧縮機の中心軸が冷凍空調装置の前面と平行になるよう圧縮機を設置した場合であっても、また、圧縮機の中心軸が冷凍空調装置の前面と角度を有するように設置した場合であっても、油面計表示面の視認性の悪化を抑制し、圧縮機配置の自由度を向上させることを課題とする。
【課題を解決するための手段】
【０００８】
本発明の横形圧縮機は、作動流体を圧縮する圧縮機構部と、圧縮機構部を駆動する電動機と、一方に圧縮機構部を連結し他方に電動機を連結する駆動軸と、圧縮機構部、駆動軸、及び、電動機を水平方向に配置して収納する密閉容器と、密閉容器に溜まる油の油面レベルを確認するための油面計と、を備え、油面計の表示面と密閉容器の中心軸とのなす角θを０°＜θ＜９０°とする。また、この横形圧縮機の密閉容器の中心軸と冷凍空調装置の前面とのなす角θ２を０°＜θ２≦９０°とする。
【発明の効果】
【０００９】
本発明によれば、圧縮機の中心軸が冷凍空調装置の前面と平行になるよう圧縮機を設置した場合であっても、また、圧縮機の中心軸が冷凍空調装置の前面と角度を有するように設置した場合であっても、油面計表示面の視認性の悪化を抑制し、圧縮機配置の自由度を向上させることができる。
【図面の簡単な説明】
【００１０】
【図１】横形圧縮機の横断面図。
【図２】横形圧縮機の横断面図。
【図３】横形圧縮機を上からみた平面図。
【図４】横形スクロール圧縮機の断面図。
【図５】横形スクロール圧縮機の上からみた平面図。
【図６】横形スクロール圧縮機を配置した冷凍空調装置。
【図７】横形スクロール圧縮機を配置した冷凍空調装置。
【発明を実施するための形態】
【００１１】
以下、本発明を実施するための形態について、図面を用いて説明する。本実施例の横形圧縮機は、作動流体を圧縮する圧縮機構部と、圧縮機構部を駆動する電動機と、一方に圧縮機構部を連結し他方に電動機を連結する駆動軸と、圧縮機構部、駆動軸、及び、電動機を水平方向に配置して収納する密閉容器と、密閉容器に溜まる油の油面レベルを確認するための油面計と、を備え、油面計の表示面と密閉容器の中心軸とのなす角θを０°＜θ＜９０°とする。また、この横形圧縮機の密閉容器の中心軸と冷凍空調装置の前面とのなす角θ２が０°＜θ２＜９０°となるように横形圧縮機を配置する。このような本実施例によれば、圧縮機の中心軸が冷凍空調装置の前面と平行になるよう圧縮機を設置した場合であっても、また、圧縮機の中心軸が冷凍空調装置の前面と角度を有するように設置した場合であっても、油面計表示面の視認性の悪化を抑制し、圧縮機配置の自由度を向上させることができる。
【００１２】
図２は、横形圧縮機に本発明を適用した横形圧縮機の横断面図である。図２に示すように、密閉容器１内には圧縮機構部２及び電動機３が収納される。収納される圧縮機構部２と電動機３は駆動軸４を介して連結される。密閉容器１下方には圧縮機構部２が有する摺動部の潤滑及び冷却に使用される油が溜まり、油面５が形成される。密閉容器１には、油面計６が設けられる。油面計６は、密閉容器１下方に形成される油面５を確認するものであり、冷凍空調装置の設置時に油面計を視認することにより、圧縮機内の油の状態及び油面のレベルを確認することができる。油面計６は圧縮機内の油面のレベルを確認できる高さであって、表示面が圧縮機を設置した際に、設置面（水平面）に対して垂直に設置される。
【００１３】
図３は本発明を適用した横形圧縮機を上から見た平面図であり、図２の横形圧縮機を上から見た平面図を上から見た平面図である。図３に示すように、本実施例では、油面計６の表示面は油面計６の表示面と圧縮機７の中心軸７ａ（圧縮機７の密閉容器１７の中心軸７ａ）とのなす角θを０°＜θ＜９０°となるよう油面計を設置する。このように油面計を配置することにより、配置の変化に対しても油面計の視認性が向上し、同一の圧縮機を搭載する際の配置の自由度を向上させることができる。
【００１４】
一方、本発明の横形圧縮機は、図４、図５に示すように油面計６の表示面を配置してもよい。図４は、横形圧縮機に本発明を適用した横形圧縮機の横断面図である。
【００１５】
圧縮機構部８は、固定スクロール９、旋回スクロール１０、フレーム１１、自転防止機構１２、及び、駆動軸１３を備える。固定スクロール９は、円板状の底板９ａ、及び、底板９ａに直立する渦巻状のラップ９ｂを有し、中心部分に吐出口１４、外周部に吸入口１５を配置する。旋回スクロール１０は、円板状の平板部１０ａ、平板部１０ａに直立し固定スクロールの渦巻状ラップ９ｂと噛み合うように成形された渦巻状のラップ１０ｂ、及び、平板の反ラップ面に形成されたボス１０ｃを有し、ボス１０ｃの内径部には軸受部１０ｄを有する。フレーム１１は、中央部に軸受部１１ａを有し、この軸受部１１ａに駆動軸１３が支持される。フレーム１１には固定スクロールの平板部９ｃが複数本のボルトにより固定される。駆動軸先端の偏芯軸部１３ａは旋回スクロールの軸受１０ｄに挿入され、自転防止機構１２と偏芯軸１３ａの回転により、旋回スクロール１０は固定スクロール９に対して自転することなく旋回運動をする。駆動軸１３には電動機１６の回転子１６ａが直結され、固定子１６ｂはフレーム１１内に固定される。
【００１６】
固定スクロール９の吸入口１５には、密閉容器１７を形成する蓋１７ｂを貫通する吸入管１８が接続される。低圧の冷媒ガスは、この吸入管１８から吸入されて、固定スクロール９の渦巻状ラップ９ｂと旋回スクロールの渦巻状ラップ１０ｂが噛み合うことにより形成される密閉空間である圧縮室１９に入る。その後、駆動軸１３の回転による旋回スクロール１０の旋回運動により圧縮室１９の容積が減じることにより冷媒ガスが圧縮され、さらに圧力を高めた冷媒ガスは、中央部分の吐出口１４から、吸入管１８が貫通する蓋１７ｂにより形成される吐出空間２０ａに向けて吐出される。吐出空間２０ａに吐出された冷媒ガスは、フレーム１１と密閉容器１７により吐出室２０に形成された通路２０ｂを通過し、フレーム１１、固定子１６ｂ、及び、回転子１６ａの間を通過し、蓋１７ｃにより形成される吐出室２０ｃと連通した後に、密閉容器１７を形成する円筒状のケーシング１７ａに取付けられた吐出管２１から吐出される。
【００１７】
吸入管１８が貫通しない蓋１７ｃには、密閉容器１７下方に溜まる油の油面を確認するための油面計２２が設けられる。油面計２２は圧縮機内の油面のレベルを確認できる高さに、表示面が圧縮機を設置した際に、設置面（水平面）に対して垂直になるよう設置される。
【００１８】
図５は本発明を適用した横形圧縮機を上から見た平面図であり、図４の横形圧縮機を上から見た平面図を上から見た平面図である。図５に示すように、本実施例では、油面計２２の表示面は油面計２２の表示面と横形スクロール圧縮機２３の中心軸２３ａ（圧縮機７の密閉容器の中心軸２３ａ）とのなす角θを０°＜θ＜９０°となるよう油面計を設置する。このように油面計を配置することにより、配置の変化に対しても油面計の視認性が向上し、同一の圧縮機を搭載する際の配置の自由度を向上させることができる。
【００１９】
ここで、本実施例の横形圧縮機では、油面計の表示面と密閉容器の中心軸とのなす角θを０°＜θ＜９０°とすることにより、圧縮機の中心軸が冷凍空調装置の前面と平行になるよう圧縮機を設置した場合であっても、また、圧縮機の中心軸が冷凍空調装置の前面と角度を有するように設置した場合であっても、油面計表示面の視認性の悪化を抑制し、圧縮機配置の自由度を向上させることができる。その理由について以下に説明する。
【００２０】
図６は、本実施例の横形圧縮機を搭載した冷凍空調装置を上から見た平面図である。図６において、横形圧縮機２４は冷凍空調装置２５の圧縮機設置面２５ａに、冷凍空調装置の前面部２５ｂと横形圧縮機２４の中心軸２４ａ（横形圧縮機２４の密閉容器の中心軸２４ａ）が平行になるように設置される。冷凍空調装置２５の設置時において、方向２６より横形圧縮機２４の油面計２２を観察する。
【００２１】
一方、図７は、本実施例の横形圧縮機を搭載した冷凍空調装置を上から見た平面図である。図７において、横形圧縮機２４は冷凍空調装置２５の圧縮機設置面２５ａに、冷凍空調装置の前面部２５ｂと横形圧縮機２４の中心軸２４ａとのなす角θ２が０°＜θ２＜９０°となるよう設置される。冷凍空調装置２５の設置時において、方向２６より横形圧縮機２４の油面計２２を観察する。
【００２２】
油面計の表示面と密閉容器の中心軸とのなす角θを０°＜θ＜９０°とすることにより、図６に示すように、横形圧縮機２４を冷凍空調装置の前面部２５ｂと横形圧縮機２４の中心軸２４ａを平行（冷凍空調装置の前面部２５ｂと横形圧縮機２４の中心軸２４ａとのなす角θ２＝０°）に配置しても、油面計表示面が方向２６に対して所定の角度を有するので、方向２６から油面計表示面を確認することができる。
【００２３】
一方、油面計の表示面と密閉容器の中心軸とのなす角θを０°＜θ＜９０°とすることにより、図７に示すように、冷凍空調装置の前面部２５ｂと横形圧縮機２４の中心軸２４ａとのなす角θ２を０°＜θ２＜９０°となるよう配置しても、油面計表示面が方向２６に対して所定の角度を有するので、方向２６から油面計表示面を確認することができる。
【００２４】
さらに、油面計の表示面と密閉容器の中心軸とのなす角θを０°＜θ＜９０°とすることにより、図示していないが、横形圧縮機２４を冷凍空調装置の前面部２５ｂと横形圧縮機２４の中心軸２４ａを垂直（冷凍空調装置の前面部２５ｂと横形圧縮機２４の中心軸２４ａとのなす角θ２＝９０°）に配置しても、油面計表示面が方向２６に対して所定の角度を有するので、方向２６から油面計表示面を確認することができる。
【００２５】
図１に示す従来技術のように、油面計の表示面を圧縮機の中心軸と平行に設置すると、横形圧縮機を冷凍空調装置の前面部と横形圧縮機の中心軸を平行（冷凍空調装置の前面部と横形圧縮機の中心軸とのなす角θ２＝０°）に配置した場合に最も視認性が高く、本実施例の横形圧縮機（油面計の表示面と密閉容器の中心軸とのなす角θが０°＜θ＜９０°）の場合よりも視認性は高い。しかしながら、図１に示す従来技術のように、油面計の表示面を圧縮機の中心軸と平行に設置すると、冷凍空調装置の前面部と横形圧縮機の中心軸とのなす角θ２が大きくなるにつれて視認性が悪化し、θ２＝９０°では油面計の表示面を全く確認できなくなる。
【００２６】
これに対して、本実施例の横形圧縮機では、油面計の表示面と密閉容器の中心軸とのなす角θを０°＜θ＜９０°とすることにより、例えば、冷凍空調装置の前面部２５ｂと横形圧縮機２４の中心軸２４ａとのなす角θ２が小さい場合（例えば、が横形圧縮機２４を冷凍空調装置の前面部２５ｂと横形圧縮機２４の中心軸２４ａが平行の場合）は図１に示す従来技術よりも視認性が低下するが、一方、０°＜θ≦９０°の角度で視認性が改善し得る。
【００２７】
以上説明したように、本実施例の横形圧縮機は、作動流体を圧縮する圧縮機構部と、圧縮機構部を駆動する電動機と、一方に圧縮機構部を連結し他方に電動機を連結する駆動軸と、圧縮機構部、駆動軸、及び、電動機を水平方向に配置して収納する密閉容器と、密閉容器に溜まる油の油面レベルを確認するための油面計と、を備え、油面計の表示面と密閉容器の中心軸とのなす角θを０°＜θ＜９０°とする。また、このとき、横形圧縮機の密閉容器の中心軸と冷凍空調装置の前面とのなす角θ２を０°＜θ２≦９０°として横形圧縮機を配置する。これにより、圧縮機の中心軸が冷凍空調装置の前面と平行になるよう圧縮機を設置した場合であっても、また、圧縮機の中心軸が冷凍空調装置の前面と角度を有するように設置した場合であっても、油面計表示面の視認性の悪化を抑制し、圧縮機配置の自由度を向上させることができる。
【符号の説明】
【００２８】
１  密閉容器
２  圧縮機構部
３、１６  電動機
４、１３  駆動軸
５  油面
６、２２  油面計
７  圧縮機
７ａ  圧縮機の中心軸（密閉容器の中心軸）
８  スクロール圧縮機の圧縮機構部
９  固定スクロール
９ａ  固定スクロールの円板状の底板
９ｂ  固定スクロールの渦巻状のラップ
１０  旋回スクロール
１０ａ  旋回スクロールの円板状の平板部
１０ｂ  旋回スクロールの渦巻状のラップ
１０ｃ  旋回スクロールのボス
１０ｄ  旋回スクロールの軸受部
１１  フレーム
１１ａ  フレームの軸受部
１２  自転防止機構
１３ａ  駆動軸の偏芯軸部
１４  吐出口
１５  吸入口
１６ａ  電動機の回転子
１６ｂ  電動機の固定子
１７  密閉容器
１７ａ  密閉容器を形成する円筒状のケーシング
１７ｂ  密閉容器を形成する吸入管が貫通する蓋
１７ｃ  密閉容器を形成する吸入管が貫通しない蓋
１８  吸入管
１９  圧縮室
２０  吐出室
２０ａ  吸入管が貫通する蓋により形成される吐出室
２０ｂ  吐出室内のフレームとケーシングにより形成される通路
２０ｃ  吸入管が貫通しない蓋により形成される吐出室
２１  吐出管
２３  横形スクロール圧縮機
２３ａ  横形スクロール圧縮機の中心軸
２４  横形圧縮機
２４ａ  横形圧縮機の中心軸
２５  冷凍空調装置
２５ａ  冷凍空調装置の圧縮機設置面
２５ｂ  冷凍空調装置の前面部
２６  圧縮機の油面確認方向
【図１】
0005907724.tif 000002
【図２】
0005907724.tif 000003
【図３】
0005907724.tif 000004
【図４】
0005907724.tif 000005
【図５】
0005907724.tif 000006
【図６】
0005907724.tif 000007
【図７】
0005907724.tif 000008